(57)【要約】【課題】落ち葉等による樋詰まりが起こらず且つ樋の上向き開口部上における雨水の軒先への伝い流れがない建築物の軒樋構造を提供すること。【解決手段】建築物１の軒先等の樋３をカバー部材４で覆設してある軒先構造において、カバー部材４は、樋３の上向き開口部３ａ上に位置する部分に通水口部４ｄを設けると共に、通水口部４ｄの水上側端部４ｄ１から裏面水下側に延在する水切り片４ｅを設けたこと。【選択図】  図１
2004211397.tif 000002
【特許請求の範囲】
【請求項１】
建築物の軒先等の樋をカバー部材で覆設してある軒先構造において、
前記カバー部材は、樋の上向き開口部上に位置する部分に通水口部を設けると共に、通水口部の水上側口端部から裏面水下側に延在する水切り片を設けたことを特徴とする建築物の軒先構造。
【請求項２】
通水口部が水勾配方向に沿い千鳥状に配設されていることを特徴とする請求項１記載の建築物の軒先構造。
【請求項３】
カバー部材は、水上側端部が樋の水上側の外装材における水下側成形部の裏面に位置し、水下側端部が樋の上向き開口部上に取り付けられていることを特徴とする請求項１または２記載の建築物の軒先構造。
【発明の詳細な説明】
【０００１】
【発明の属する技術分野】
本発明は建築物の軒先構造に関し、さらに詳しくは落ち葉等による樋詰まり対策および樋の上向き開口部上における雨水の軒先への伝い流れ対策が施されている軒先構造に関係している。
【０００２】
【従来の技術】
例えば、特許文献１には、樋の上方開口部に柔軟な網を覆設してある軒樋構造が示されている。
この構造のものでは、落ち葉等が網に引っ掛かって樋内に落下しないため、樋内が落ち葉等で堰き止められて雨水が溢れ出るようなことがなく、落ち葉等による樋詰まり対策の面では改善されているといえる。
ところで、網目から樋内に流れ落ちる雨水は、同時に網目線をつたい水下側に流れて軒先から流れ落ちてしまう虞れがあり、雨水の軒先への伝い流れ対策については考慮されていない。
このことは、網がパンチングメタル等の多孔板製のものに置き換えられた場合にも同様であり、板面を雨水が伝い流れて軒先から流れ落ちてしまうのを避けられない。
【０００３】
【特許文献１】
特開平５−３０２４１１
【０００４】
【発明が解決しようとする課題】
解決しようとする課題は、第１には、落ち葉等による樋詰まりが起こらず且つ樋の上向き開口部上における雨水の軒先への伝い流れがない建築物の軒樋構造を、第２には、さらに、雨水を樋内へ効率良く排水可能な建築物の軒樋構造を、第３には、さらに、雨水が屋根面から樋内へ流れ込み易い建築物の軒樋構造を提供することにある。
【０００５】
【課題を解決するための手段】
本発明は前記した課題を達成するため、建築物の軒先等の樋をカバー部材で覆設してある軒先構造において、前記カバー部材は、樋の上向き開口部上に位置する部分に通水口部を設けると共に、通水口部の水上側口端部から裏面水下側に延在する水切り片を設けたことを特徴とする。
また本発明では、前記した通水口部が水勾配方向に沿い千鳥状に配設されていることを特徴とする。
また本発明では、前記したカバー部材は、水上側端部が樋の水上側の外装材における水下側成形部の裏面に位置し、水下側端部が樋の上向き開口部上に取り付けられていることを特徴とする。
【０００６】
本発明における建築物の軒先等とは、軒先に限定されず、樋が形成される全ての箇所を含む意味である。
樋およびカバー部材は、金属製、合成樹脂製、その他の公知の材質・形状のもので良い。カバー部材は、長尺状でもピース状でも良い。このカバー部材における通水口部は、平面視で、丸孔状、角孔状、長孔状、円弧状、その他のこれらに類する孔形状の何れであっても良い。通水口部は水勾配方向に沿い千鳥状に配設されていても良いし、そうでなくとも良い。また、通水口部が長孔状である場合、孔の長手方向が水勾配方向に沿う向きの態様でも良いし、孔の長手方向が水勾配方向と交差する向きの態様であっても良い。
そして、水切り片は、雨水を通水口部の水上側口端部から裏面水下側に誘導することによって、通水口部を通過させて樋内に流出させられる機能を有するものであれば良く、通水口部の水上側口端部から裏面水下側に延在している形態の全てが含まれる。
また、カバー部材は、水上側が外装材の水下側成形部と下地（水切り部材を含む）との間に位置する態様である場合、取り外し（着脱）が可能であり、メンテナンスが容易に行えることになる。
カバー部材は、着脱可能若しくは途中で摺動或いは半折可能な接続手段で連結される態様である場合、カバー部材の一部或いは全部を取り外し若しくは開放することが可能で、樋のメンテナンスが容易に行えることになる。
カバー部材における水上側は、挿入（配置）する態様、係止部材に係止（脱着可能な係止関係）する態様、係止部材に係合、嵌合する態様等（脱着可能な係止関係を含まない）が想定され、これらの挿入、係止、係合にとらわれず、樋の水上側の外装材における水下側成形部の裏面に位置する態様であれば良い。
カバー部材の水下側は、着脱可能な止着手段であれば、ビス等であっても係合等であっても良い。
【０００７】
【発明の実施の形態】
図１および図２には本発明の建築物の軒樋構造における実施の１形態を例示しており、建物１の軒先に軒先部材２で保持された樋３上には長尺帯板状の金属製カバー部材４が覆設されている。
カバー部材４の水上側端部４ａは、樋３の水上側の屋根材５における係止部材７で係合状態に取り付けられている水下側成形部５ａ裏面と下地６表面との間に差し込まれて係止している一方で、水下側端部４ｂは、樋３の上向き開口部３ａ上にせり出ている軒先部材２の取り付け部２ａ上にビス・ナット等の固定具８で取り付けられている。
【０００８】
カバー部材４は、樋３の上向き開口部３ａ上に位置する面部分４ｃに通水口部４ｄを千鳥状に配設していると共に、通水口部４ｄの水上側口端部４ｄ１から裏面水下側に延在する水切り片４ｅを設けている。
通水口部４ｄは、長孔状で且つ孔の長手方向が水勾配方向と直交する向きの二列一組の態様になっており、水上側口端部４ｄ１の両端は略１／４円状に丸くすることで、面部分４ｃの面強度を高めている。
そして、水切り片４ｅは、雨水を通水口部４ｄから裏面水下側に誘導し得るように、通水口部４ｄの水上側口端部４ｄ１裏面側に垂設して形成してある。
【０００９】
また面部分４ｃには、水勾配方向と直交する方向に沿う左右の通水口部４ｄ間に流水面部４ｃ１をそれぞれ形成し、この各流水面部４ｃ１の水上側および／または水下側に通水口部４ｄそして水切り片４ｅが位置するようにして、流水面部４ｃ１を流れる雨水が通水口部４ｄに流れ込み且つ水切り片４ｅに導かれて樋３内の排水空間３ｂに流れ落ちるようにしてある。
【００１０】
図３には本発明の建築物の軒樋構造における実施の他の１形態を例示しており、構成は前記した図１の態様のものと基本的に同一であるため、共通している構成の説明は符号を準用して省略し、相違する構成について説明する。
カバー部材４は、水上側と水下側の中間部におけるヒンジ４ｆを支点にして半折可能に形成してあり、水上側端部４ａの端縁から斜め上向きに折り返された係止部４ｇが弾性変形して係止部材７の垂下部７ａ下縁を潜り抜けて被係止部７ｂに係止していることで、固定具８が外されて水下側端部４ｂ側がフリーになった状態でも脱落しないようにしてある。この水下側端部４ｂ側がフリーになった状態では、水下側端部４ｂ側を開動することで樋３の上向き開口部３ａが開放されることになる。
【００１１】
図４および図５には本発明の建築物の軒樋構造における実施の他の１形態を例示しており、構成は前記した図１の態様のものと基本的に同一であるため、共通している構成の説明は符号を準用して省略し、相違する構成について説明する。カバー部材４は、水上側端部４ａの端縁から斜め上向きに折り返された係止部４ｇが係止部材７の突状の垂下部７ａにおける被係止部７ｂに係止していることで、固定具８が外されて水下側端部４ｂ側がフリーになった状態でも脱落しないようにしてある。また、係止部４ｇには切欠き部４ｈを凹設してあり、固定具８が外された状態でカバー部材４を左右にスライドし、切欠き部４ｈと垂下部７ａを脱着方向（図面上では水勾配方向）に一致させることにより被係止部７ｂとの係止関係を解除して、カバー部材４を水下側へ引き動かして取り外せるようにしてある。この態様のものでは、係止部４ｇが弾性変形せずとも、樋３は上向き開口部３ａが開放されることになる。
【００１２】
図６には本発明の建築物の軒樋構造における実施の他の１形態を例示しており、構成は前記した図１の態様のものと基本的に同一であるため、共通している構成の説明は符号を準用して省略し、相違する構成について説明する。
カバー部材４は、水下側端部４ｂにおける固定具８のネジ部８ａが貫通する孔４ｉを、頭部８ｂよりも大径のガイド穴４ｉ１と、このガイド穴４ｉ１と左右方向に連通して、ネジ部８ａよりも若干幅広の挿入溝４ｉ２とで形成しており、固定具８を緩めて、カバー部材４を左右方向（図面上では左方向）へスライドさせて、ガイド穴４ｉ１と頭部８ｂを上下に一致させることで、固定具８による固定関係を解除して、カバー部材４を持ち上げ取り外せるようにしてある。
【００１３】
図７には本発明の建築物の軒樋構造におけるカバー部材の他の１形態を例示しており、構成は前記した図１の態様のものと基本的に同一であるため、共通している構成についての説明は符号を準用して省略し、相違する構成について説明する。
カバー部材４における通水口部４ｄは、水上側寄りの左右両端部分に対して中央部分が水下側寄りの平面視円弧状に形成してあり、長手方向の直線長さが同じであれば円弧分だけ延長されて開口面積が拡大することにともなう通水量の増大と、雨水が左右の両端部分と中央部分に流れ込む極僅かの時差による通水時間の短縮によって、通水効率がアップしている。
【００１４】
図８には本発明の建築物の軒樋構造におけるカバー部材の他の１形態を例示しており、構成は前記した図１の態様のものと基本的に同一であるため、共通している構成についての説明は符号を準用して省略し、相違する構成について説明する。
カバー部材４における通水口部４ｄは、水上側寄りの左右両端部分に対して中央部分が水下側寄りの平面視略弓状に形成してあり、長手方向の直線長さが同じであれば左右両端のアール部分だけ延長されて開口面積が拡大されることによる通水量の増大と、雨水が左右の両端部分と中央部分に流れ込む極僅かの時差による通水時間の短縮によって、通水効率がアップしている。
【００１５】
【発明の効果】
Ａ．請求項１により、雨水は通水口部に流れ込み且つ水切り片に導かれて樋内に流れ落ちるため、落ち葉等による樋詰まりが起こらず且つ樋の上向き開口部上における雨水の軒先への伝い流れがない。
Ｂ．請求項２により、さらに、水勾配方向に沿い千鳥状に配設されている通水口部によって雨水を樋内へ効率良く排水することができる。
Ｃ．請求項３により、さらに、雨水が屋根面から樋内へ流れ込み易い。
【図面の簡単な説明】
【図１】本発明の建築物の軒樋構造における実施の１形態を例示している縦断面図。
【図２】要部の部分拡大平面図。
【図３】本発明の建築物の軒樋構造における実施の他の１形態を例示している縦断面図。
【図４】本発明の建築物の軒樋構造における実施の他の１形態を例示している縦断面図。
【図５】要部の部分拡大平面図。
【図６】本発明の建築物の軒樋構造における実施の他の１形態を例示している要部の部分拡大平面図。
縦断面図。
【図７】本発明の建築物の軒樋構造におけるカバー部材の他の１形態を例示している部分拡大平面図。
【図８】本発明の建築物の軒樋構造におけるカバー部材の他の１形態を例示している部分拡大平面図。
【符号の説明】
１  建物（建築物）
２  軒先部材
２ａ  取り付け部
３  樋
３ａ  上向き開口部
３ｂ  排水空間
４  カバー部材
４ａ  水上側端部
４ｂ  水下側端部
４ｃ  面部分
４ｃ１  流水面部
４ｄ  通水口部
４ｄ１  水上側口端部
４ｅ  水切り片
４ｆ  ヒンジ
４ｇ  係止部
４ｈ  切欠き部
４ｉ  孔
４ｉ１  ガイド穴
４ｉ２  挿入溝
５  屋根材
５ａ  水下側成形部
６  下地
７  係止部材
７ａ  垂下部
７ｂ  被係止部
８  固定具
８ａ  ネジ部
８ｂ  頭部８ｂ
【図１】
2004211397.tif 000003
【図２】
2004211397.tif 000004
【図３】
2004211397.tif 000005
【図４】
2004211397.tif 000006
【図５】
2004211397.tif 000007
【図６】
2004211397.tif 000008
【図７】
2004211397.tif 000009
【図８】
2004211397.tif 000010